(57)【特許請求の範囲】
【請求項１】
Ｐ−ＭＰ無線通信システムを構成する無線基地局装置と複数の無線端末局装置とがＴＤＭＡ伝送フレームを用いて無線通信を行う際に、無線基地局装置の指向性アンテナの方向を調整するための情報を表示するアンテナ方向調整方法において、
前記複数の無線端末局装置が要求する通信容量を登録する第１のステップと、
前記指向性アンテナの方向に対して、前記複数の無線端末局装置の受信信号の通信品質を検出して対応する変調方式を算出する第２のステップと、
前記無線端末局装置ごとに、前記変調方式に応じた１スロット当たりの伝送速度に基づいて、前記第１のステップで登録された通信容量を保証するために必要なスロット数を算出する第３のステップと、
前記複数の無線端末局装置のスロット数を合計した合計スロット数と前記ＴＤＭＡ伝送フレームのスロット数とを比較し、該合計スロット数が前記ＴＤＭＡ伝送フレームのスロット数以下であれば前記指向性アンテナの方向を可（ＯＫ）と表示し、該合計スロット数が前記ＴＤＭＡ伝送フレームのスロット数を超えていれば前記指向性アンテナの方向を不可（ＮＧ）と表示する第４のステップと
を有することを特徴とするアンテナ方向調整方法。
【請求項２】
請求項１に記載のアンテナ方向調整方法において、
前記第４のステップは、前記指向性アンテナの方向が可（ＯＫ）であるときに、前記合計スロット数または前記ＴＤＭＡ伝送フレームのスロット数から前記合計スロット数を引いた空きスロット数を表示する
ことを特徴とするアンテナ方向調整方法。
【請求項３】
請求項２に記載のアンテナ方向調整方法において、
前記第４のステップは、前記指向性アンテナの方向調整により、前記合計スロット数の減少または前記空きスロット数の増加が止まったときに、前記指向性アンテナの方向調整終了を表示する
ことを特徴とするアンテナ方向調整方法。
【請求項４】
請求項２に記載のアンテナ方向調整方法において、
前記第４のステップは、前記指向性アンテナの方向調整により、前記合計スロット数または前記空きスロット数が既定値に達したときに、前記指向性アンテナの方向調整終了を表示する
ことを特徴とするアンテナ方向調整方法。
【請求項５】
Ｐ−ＭＰ無線通信システムを構成する無線基地局装置と複数の無線端末局装置とがＴＤＭＡ伝送フレームを用いて無線通信を行う際に、指向性アンテナの方向を調整するための情報を表示する無線基地局装置において、
前記複数の無線端末局装置が要求する通信容量を登録する登録手段と、
前記指向性アンテナの方向に対して、前記複数の無線端末局装置の受信信号の通信品質を検出して対応する変調方式を算出する復調手段と、
前記無線端末局装置ごとに、前記変調方式に応じた１スロット当たりの伝送速度に基づいて、前記登録手段に登録された通信容量を保証するために必要なスロット数を算出し、前記複数の無線端末局装置のスロット数を合計した合計スロット数と前記ＴＤＭＡ伝送フレームのスロット数とを比較し、該合計スロット数が前記ＴＤＭＡ伝送フレームのスロット数以下であれば前記指向性アンテナの方向を可（ＯＫ）と表示し、該合計スロット数が前記ＴＤＭＡ伝送フレームのスロット数を超えていれば前記指向性アンテナの方向を不可（ＮＧ）と表示する演算・表示手段と
を備えたことを特徴とする無線基地局装置。
【請求項６】
請求項５に記載の無線基地局装置において、
前記演算・表示手段は、前記指向性アンテナの方向が可（ＯＫ）であるときに、前記合計スロット数または前記ＴＤＭＡ伝送フレームのスロット数から前記合計スロット数を引いた空きスロット数を表示する構成である
ことを特徴とする無線基地局装置。
【請求項７】
請求項６に記載の無線基地局装置において、
前記演算・表示手段は、前記指向性アンテナの方向調整により、前記合計スロット数の減少または前記空きスロット数の増加が止まったときに、前記指向性アンテナの方向調整終了を表示する構成である
ことを特徴とする無線基地局装置。
【請求項８】
請求項６に記載の無線基地局装置において、
前記演算・表示手段は、前記指向性アンテナの方向調整により、前記合計スロット数または前記空きスロット数が既定値に達したときに、前記指向性アンテナの方向調整終了を表示する構成である
ことを特徴とする無線基地局装置。
【発明の詳細な説明】
【技術分野】
【０００１】
本発明は、無線基地局装置と複数の無線端末局装置とがＴＤＭＡ伝送フレームを用いて無線通信を行うＰ−ＭＰ（ポイント−マルチポイント）無線通信システムにおいて、無線基地局装置の指向性アンテナの方向を調整するための情報を表示するアンテナ方向調整方法および無線基地局装置に関する。
【背景技術】
【０００２】
災害等により途絶したアクセス通信路を回復するために臨時通信回線を構築するとき、可搬型の無線通信システムが用いられている。可搬型の無線通信システムは無線局装置の設置場所を固定することなく、需要の発生した任意の２地点間に無線局装置を設営し、通信回線を構築する。このとき、一方の無線局装置の指向性アンテナを対向する無線局装置に向けて設置し、通信品質（受信レベルやＳＮ比）が最も良好となる方向にアンテナ方向を調整する作業が行われる。
【０００３】
無線基地局装置と無線端末局装置とが１対１（Ｐ−Ｐ対向）の場合、無線基地局装置の指向性アンテナを無線端末局装置の方向に向け、無線基地局装置に装備された通信品質（受信レベルやＳＮ比）を示すインジケータ等で確認しながらアンテナ方向の微調整を行うことができる。
【０００４】
一方、無線基地局装置と複数の無線端末局装置とがＴＤＭＡ伝送フレームを用いて無線通信を行うＰ−ＭＰ無線通信システムでは、無線基地局装置の指向性アンテナの方向を複数の無線端末局装置に対して通信品質が良好となる方向に調整する作業が必要になる。このとき、複数の無線端末局装置の受信レベルをまとめてインジケータに表示すると、最も近傍に設置された無線端末局装置からの受信レベルが支配的となり、総合的に最適となる方向調整には作業者のスキルや地形を把握した勘に頼ることになる。
【先行技術文献】
【特許文献】
【０００５】
【特許文献１】特開２００３−１０１４６７号公報
【特許文献２】特開２０１３−２０７６３３号公報
【発明の概要】
【発明が解決しようとする課題】
【０００６】
Ｐ−ＭＰ無線通信の場合は、散在する複数の無線端末局装置の受信信号から合成された受信レベルの最大値が得られる方向が最適とは限らない。また、ＵＨＦ帯の長距離伝搬では地形の影響を強く受けるため、必ずしも正対する方向が最適ではない。さらに、複数の無線端末局装置に対して見通し外通信を確保する場合は、無線局間で確立した無線回線の通信品質（例えばＳＮ比）をインジケータに表示させなければ、作業者が方向調整を行うことは困難である。
【０００７】
また、複数の無線端末局装置の中には、無線基地局装置から近距離にあるために高速変調方式が適用可能な無線端末局装置、無線基地局装置から遠距離にあり通信距離を確保するために低速変調方式が適用される無線端末局装置、複数のＶＬＡＮを用いる無線端末局装置があり、変調方式にかかわらずそれぞれ要求する通信容量を保証する必要がある。
【０００８】
本発明は、Ｐ−ＭＰ無線通信システムにおいて、複数の無線端末局装置がそれぞれ要求する通信容量を保証できるように無線基地局装置の指向性アンテナの方向を調整するための情報を表示するアンテナ方向調整方法および無線基地局装置を提供することを目的とする。
【課題を解決するための手段】
【０００９】
第１の発明は、Ｐ−ＭＰ無線通信システムを構成する無線基地局装置と複数の無線端末局装置とがＴＤＭＡ伝送フレームを用いて無線通信を行う際に、無線基地局装置の指向性アンテナの方向を調整するための情報を表示するアンテナ方向調整方法において、複数の無線端末局装置が要求する通信容量を登録する第１のステップと、指向性アンテナの方向に対して、複数の無線端末局装置の受信信号の通信品質を検出して対応する変調方式を算出する第２のステップと、無線端末局装置ごとに、変調方式に応じた１スロット当たりの伝送速度に基づいて、第１のステップで登録された通信容量を保証するために必要なスロット数を算出する第３のステップと、複数の無線端末局装置のスロット数を合計した合計スロット数とＴＤＭＡ伝送フレームのスロット数とを比較し、該合計スロット数がＴＤＭＡ伝送フレームのスロット数以下であれば指向性アンテナの方向を可（ＯＫ）と表示し、該合計スロット数がＴＤＭＡ伝送フレームのスロット数を超えていれば指向性アンテナの方向を不可（ＮＧ）と表示する第４のステップとを有する。
【００１０】
第１の発明のアンテナ方向調整方法において、第４のステップは、指向性アンテナの方向が可（ＯＫ）であるときに、合計スロット数またはＴＤＭＡ伝送フレームのスロット数から合計スロット数を引いた空きスロット数を表示する。
【００１１】
第１の発明のアンテナ方向調整方法において、第４のステップは、指向性アンテナの方向調整により合計スロット数の減少または空きスロット数の増加が止まったときに、指向性アンテナの方向調整終了を表示する。
【００１２】
第１の発明のアンテナ方向調整方法において、第４のステップは、指向性アンテナの方向調整により合計スロット数または空きスロット数が既定値に達したときに、指向性アンテナの方向調整終了を表示する。
【００１３】
第２の発明は、Ｐ−ＭＰ無線通信システムを構成する無線基地局装置と複数の無線端末局装置とがＴＤＭＡ伝送フレームを用いて無線通信を行う際に、指向性アンテナの方向を調整するための情報を表示する無線基地局装置において、複数の無線端末局装置が要求する通信容量を登録する登録手段と、指向性アンテナの方向に対して、複数の無線端末局装置の受信信号の通信品質を検出して対応する変調方式を算出する復調手段と、無線端末局装置ごとに、変調方式に応じた１スロット当たりの伝送速度に基づいて、登録手段に登録された通信容量を保証するために必要なスロット数を算出し、複数の無線端末局装置のスロット数を合計した合計スロット数とＴＤＭＡ伝送フレームのスロット数とを比較し、該合計スロット数がＴＤＭＡ伝送フレームのスロット数以下であれば指向性アンテナの方向を可（ＯＫ）と表示し、該合計スロット数がＴＤＭＡ伝送フレームのスロット数を超えていれば指向性アンテナの方向を不可（ＮＧ）と表示する演算・表示手段とを備える。
【００１４】
第２の発明の無線基地局装置において、演算・表示手段は、指向性アンテナの方向が可（ＯＫ）であるときに、合計スロット数またはＴＤＭＡ伝送フレームのスロット数から合計スロット数を引いた空きスロット数を表示する構成である。
【００１５】
第２の発明の無線基地局装置において、演算・表示手段は、指向性アンテナの方向調整により、合計スロット数の減少または空きスロット数の増加が止まったときに、指向性アンテナの方向調整終了を表示する構成である。
【００１６】
第２の発明の無線基地局装置において、演算・表示手段は、合計スロット数または空きスロット数が既定値に達したときに、指向性アンテナの方向調整終了を表示する構成である。
【発明の効果】
【００１７】
本発明は、Ｐ−ＭＰ無線通信システムの無線基地局装置において、複数の無線端末局装置の受信信号の通信品質に対応する変調方式を検出し、さらにそれぞれ要求する通信容量を保証するために必要なスロット数を算出し、複数の無線端末局装置の合計スロット数とＴＤＭＡ伝送フレームのスロット数とを比較して指向性アンテナの方向の可否を表示することにより、各無線端末局装置がそれぞれ要求する通信容量を保証できるように容易に無線基地局装置の指向性アンテナの方向を調整することができる。
【００１８】
また、本発明は、各無線端末局装置がそれぞれ要求する通信容量を保証できるアンテナ方向に調整するだけでなく、合計スロット数または空きスロット数を表示することにより、さらに指向性アンテナの方向をより最適方向に微調整することができる。
【図面の簡単な説明】
【００１９】
【図１】本発明におけるＰ−ＭＰ無線通信システムの概要を示す図である。
【図２】本発明の無線基地局装置１０の実施例１の構成を示す図である。
【図３】本発明の無線基地局装置１０の実施例１の処理手順を示すフローチャートである。
【図４】指向性アンテナ１１の方向の調整結果の一例を示す図である。
【図５】本発明の無線基地局装置１０の実施例２の構成を示す図である。
【図６】本発明の無線基地局装置１０の実施例２の処理手順を示すフローチャートである。
【発明を実施するための形態】
【００２０】
図１は、本発明におけるＰ−ＭＰ無線通信システムの概要を示す。
図１において、無線基地局装置１０の通信エリア内に３つの無線端末局装置ＴＳ＃１〜ＴＳ＃３があり、無線基地局装置１０の指向性アンテナ１１の方向を調整することにより、無線端末局装置ＴＳ＃１〜ＴＳ＃３がそれぞれ要求する通信容量を保証する変調方式とＴＤＭＡ伝送フレームの無線スロットが割り当てられた状況を示す。指向性アンテナ１１は、例えば半値幅30度のＵＨＦ帯で長距離無線通信（数10ｋｍ）を行う場合、無線基地局装置１０がカバーするエリアは半径数ｋｍを想定する。ＴＤＭＡ伝送フレームは８スロット構成とし、最大８個の無線端末局装置との無線通信を前提とする。
【００２１】
変調方式に対する１スロット当たりの伝送速度の例を表１に示し、各無線端末局装置ＴＳ＃１〜ＴＳ＃３がＶＬＡＮごとに要求する通信容量（伝送速度）を表２に示す。無線端末局装置ＴＳ＃３は、２つのＶＬＡＮに対応する。
【００２２】
【表１】
0006023114.tif 000002
【００２３】
【表２】
0006023114.tif 000003
【００２４】
図１に示す状況は次の通りである。
無線端末局装置ＴＳ＃１は、無線基地局装置１０から近距離にあるため、所要の通信品質に対応する変調方式として64ＱＡＭを適用できる。64ＱＡＭの伝送速度は１スロット当たり 600ｋbit/s であり、無線端末局装置ＴＳ＃１が要求する通信容量 500ｋbit/s 以上を保証するために必要なスロット数は１となる。
【００２５】
無線端末局装置ＴＳ＃２は、無線基地局装置１０から遠距離にあるため、所要の通信品質に対応する変調方式としてＱＰＳＫを適用して通信距離を確保する。ＱＰＳＫの伝送速度は１スロット当たり 200ｋbit/s であり、無線端末局装置ＴＳ＃２が要求する通信容量 600ｋbit/s 以上を保証するために必要なスロット数は３となる。
【００２６】
無線端末局装置ＴＳ＃３は、無線基地局装置１０から中距離にあるため、所要の通信品質に対応する変調方式として16ＱＡＭを適用できる。16ＱＡＭの伝送速度は１スロット当たり 400ｋbit/s であり、無線端末局装置ＴＳ＃３のＶＬＡＮ０３が要求する通信容量   300ｋbit/s 以上を保証するために必要なスロット数は１であり、ＶＬＡＮ０４が要求する通信容量1000ｋbit/s 以上を保証するために必要なスロット数は３である。
【００２７】
図１の状況では、無線端末局装置ＴＳ＃１〜ＴＳ＃３の合計スロット数が８となり、ＴＤＭＡ伝送フレームのスロット数（８）以下であるので、それぞれ要求する通信容量を保証できる。しかし、無線基地局装置１０の指向性アンテナ１１の方向によって、例えば無線端末局装置ＴＳ＃１の通信品質が劣化し、変調方式が64ＱＡＭ（１スロット当たり 600ｋbit/s ）から16ＱＡＭ（１スロット当たり 400ｋbit/s ）になれば、要求する通信容量（ 500ｋbit/s 以上）を保証するために必要なスロット数は２となる。この場合、無線端末局装置ＴＳ＃１〜ＴＳ＃３の合計スロット数は９となり、それぞれ要求する通信容量を保証できないことになり、指向性アンテナ１１の方向調整が必要になる。
【００２８】
本発明は、無線基地局装置１０の指向性アンテナ１１について、
(1) 接続する複数の無線端末局装置の合計スロット数がＴＤＭＡ伝送フレームのスロット数以下となり、各無線端末局装置が要求する通信容量を保証するようにアンテナ方向を調整するための情報を表示すること、
(2) さらに、複数の無線端末局装置の合計スロット数（空きスロット数）を指標として、アンテナ方向が最適方向になるように微調整するための情報を表示すること
を特徴とする。
【００２９】
（実施例１）
図２は、本発明の無線基地局装置１０の実施例１の構成を示す。図３は、本発明の無線基地局装置１０の実施例１の処理手順を示す。実施例１は、上記の特徴(1) に対応する。
【００３０】
図２および図３において、無線基地局装置１０は、本発明に関係するものとして、指向性アンテナ１１、無線部１２、復調部１３、演算部１４、方向調整インジケータ１５を備える。無線基地局装置１０の演算部１４には、管理制御端末装置２０から接続対象の各無線端末局装置ＴＳ＃ｎ（ｎ＝１，２，３）が要求する通信容量Ｙn が登録される（Ｓ１）。接続対象の無線端末局装置の数Ｎは、ＴＤＭＡ伝送フレームのスロット数以下であり、ここではＮ＝３とする。
【００３１】
指向性アンテナ１１が所定の方向に調整されると（Ｓ２）、無線部１２は各無線端末局装置ＴＳ＃ｎからの受信信号を処理し、復調部１３は各無線端末局装置ＴＳ＃ｎの受信信号の通信品質（例えばＳＮ比）を検出して対応する変調方式を算出する（Ｓ３）。演算部１４は、各無線端末局装置ＴＳ＃ｎの変調方式に応じた１スロット当たりの伝送速度Ｘn に基づき、各無線端末局装置ＴＳ＃ｎが要求する通信容量Ｙn を保証するために必要なスロット数（Roundup(Ｙn/Ｘn)) を算出する（Ｓ４）。ここで、Roundup 関数は、小数点以下切り上げを示す。
【００３２】
さらに演算部１４は、各無線端末局装置ＴＳ＃ｎの合計スロット数とＴＤＭＡ伝送フレームのスロット数とを比較し、指向性アンテナ１１の方向の可否（ＯＫ／ＮＧ）を判定する（Ｓ５）。すなわち、各無線端末局装置ＴＳ＃ｎの合計スロット数がＴＤＭＡ伝送フレームのスロット数以下であれば、指向性アンテナ１１が各無線端末局装置ＴＳ＃ｎの要求する通信品質を保証できる方向になっているとして、方向調整インジケータ１５に可（ＯＫ）を表示して終了する（Ｓ６）。一方、各無線端末局装置ＴＳ＃ｎの合計スロット数がＴＤＭＡ伝送フレームのスロット数を超えていれば、指向性アンテナ１１が各無線端末局装置ＴＳ＃ｎの要求する通信品質を保証できる方向になっていないとして、方向調整インジケータ１５に不可（ＮＧ）を表示し（Ｓ７）、ステップＳ２に戻って指向性アンテナ１１の方向を再調整する。
【００３３】
図４は、指向性アンテナ１１の方向の調整結果の一例を示す。
ここでは、接続対象の無線端末局装置ＴＳ＃ｎが要求する通信容量Ｙn は、表２に示すものとする。
【００３４】
図４(1) は、指向性アンテナ１１の方向の初期調整状況を示す。無線端末局装置ＴＳ＃１，ＴＳ＃２，ＴＳ＃３の通信品質に基づく変調方式は64ＱＡＭ，ＱＰＳＫ，８ＰＳＫとなり、ＶＬＡＮ０１，ＶＬＡＮ０２，ＶＬＡＮ０３，ＶＬＡＮ０４がそれぞれ要求する通信容量を保証するために必要なスロット数は１，３，１，４となり、その合計スロット数が９になった状況を示す。この場合、ＴＤＭＡ伝送フレームのスロット数（８）より大きいので、判定はＮＧとなり、指向性アンテナ１１の方向の再調整が行われる。
【００３５】
図４(2) は、指向性アンテナ１１の方向を図４(1) の初期調整状況から再調整した状況１を示す。無線端末局装置ＴＳ＃１，ＴＳ＃２，ＴＳ＃３の通信品質に基づく変調方式は64ＱＡＭ，ＱＰＳＫ，16ＱＡＭとなる。ここでは、無線端末局装置ＴＳ＃１および無線端末局装置ＴＳ＃２は不変である。無線端末局装置ＴＳ＃３は通信品質が向上したために変調方式が８ＰＳＫから16ＱＡＭになって１スロット当たりの伝送速度が 400ｋbit/s に上昇する。これにより、ＶＬＡＮ０１，ＶＬＡＮ０２，ＶＬＡＮ０３，ＶＬＡＮ０４がそれぞれ要求する通信容量を保証するために必要なスロット数は１，３，１，３となり、その合計スロット数が８になる。この場合、ＴＤＭＡ伝送フレームのスロット数（８）以下になるので、判定はＯＫとなり、指向性アンテナ１１の方向調整を終了する。
【００３６】
図４(3) は、指向性アンテナ１１の方向を図４(1) の初期調整状況から再調整した状況２を示す。無線端末局装置ＴＳ＃１，ＴＳ＃２，ＴＳ＃３の通信品質に基づく変調方式は32ＱＡＭ，８ＰＳＫ，16ＱＡＭとなる。ここでは、無線端末局装置ＴＳ＃１の通信品質が劣化したために変調方式が64ＱＡＭから32ＱＡＭになって１スロット当たりの伝送速度が 500ｋbit/s に低下する。無線端末局装置ＴＳ＃２の通信品質が向上したために変調方式がＱＰＳＫから８ＰＳＫになって１スロット当たりの伝送速度が 300ｋbit/s に上昇する。無線端末局装置ＴＳ＃３は通信品質が向上したために変調方式が８ＰＳＫから16ＱＡＭになって１スロット当たりの伝送速度が 400ｋbit/s に上昇する。これにより、ＶＬＡＮ０１，ＶＬＡＮ０２，ＶＬＡＮ０３，ＶＬＡＮ０４がそれぞれ要求する通信容量を保証するために必要なスロット数は１，２，１，３となり、その合計スロット数が７になる。この場合、ＴＤＭＡ伝送フレームのスロット数（８）以下になるので、判定はＯＫとなり、指向性アンテナ１１の方向調整を終了する。
【００３７】
ここで、図４(2) の状況１に対する図４(3) の状況２の違いは、無線端末局装置ＴＳ＃２，ＴＳ＃３の通信品質が向上して高速な通信方式を用いることができたため、各無線端末局装置ＴＳ＃１〜ＴＳ＃３の合計スロット数が７となり、１スロットが空きとなったことを示す。この合計スロット数またはＴＤＭＡ伝送フレームのスロット数から合計スロット数を引いた空きスロット数を指標として表示することにより、指向性アンテナ１１を最適な方向に微調整することが可能である。以下に実施例２として説明する。
【００３８】
（実施例２）
図５は、本発明の無線基地局装置１０の実施例２の構成を示す。図６は、本発明の無線基地局装置１０の実施例２の処理手順を示す。実施例２は、上記の特徴(1),(2) に対応し、無線基地局装置１０の演算部１６および方向調整インジケータ１７が実施例１と異なる。
【００３９】
図５および図６において、無線部１２および復調部１３の処理、ステップＳ１〜Ｓ５の処理は実施例１と同様である。ステップＳ５において、演算部１６は、各無線端末局装置ＴＳ＃ｎの合計スロット数と、ＴＤＭＡ伝送フレームのスロット数とを比較し、指向性アンテナ１１の方向の可否（ＯＫ／ＮＧ）を判定する。ここで、各無線端末局装置ＴＳ＃ｎの合計スロット数がＴＤＭＡ伝送フレームのスロット数以下であれば「ＯＫ」であり、実施例１では終了するが、実施例２では空きスロット数０〜７を方向調整インジケータ１７に表示する（Ｓ８）。なお、空きスロット数ではなく合計スロット数を表示してもよい。例えば、図４(2) の場合は、合計スロット数が８、空きスロット数が０であり、図４(3) の場合は、合計スロット数が７、空きスロット数が１である。
【００４０】
方向調整インジケータ１７は、ＮＧと、空きスロット数０〜７を表示する９個のインジケータを有する。例えば、空きスロット数０〜７を表示するインジケータは、空きスロットが増える（合計スロット数が減る）ごとに、点灯するインジケータが増えるように設定する。したがって、空きスロットのインジケータの点灯数が多いほど、指向性アンテナ１１が最適な方向になっていることを示す。ただし、表示方法はこれに限らない。
【００４１】
次に、空きスロット数（または合計スロット数）を指標として、アンテナ方向調整により改善したか否かを表示し（Ｓ９）、アンテナ方向を調整して空きスロット数が増加（または合計スロット数が減少）していれば、ステップＳ２に戻って指向性アンテナ１１の方向の微調整を繰り返し、空きスロット数の増加（または合計スロット数が減少）が止まれば、その旨の表示により方向調整を終了する。すなわち、アンテナ方向調整時に空きスロット数の増加は、ある無線端末局装置ＴＳ＃ａが通信品質の向上によって高速な変調方式の適用が可能となり、要求する通信容量Ｙa を保証するために必要なスロット数が減ったことを示し、指向性アンテナ１１がより最適な方向に調整されたと見なすことができる。
【００４２】
また、空きスロット数（または合計スロット数）の増加の有無ではなく、アンテナの方向調整により、空きスロット数（または合計スロット数）がＴＤＭＡ伝送フレームのスロット数以下の範囲で既定値に達したときに、その旨の表示により最適方向と見なして方向調整を終了してもよい。
【００４３】
なお、指向性アンテナ１１の方向調整により空きスロットが増えれば、新たな無線端末局装置の接続要求に対応することができ、また各無線端末局装置ＴＳ＃ｎの通信容量の増量にも対応することができ、無線通信システム全体のスループットを向上させることができる。
【符号の説明】
【００４４】
１０  無線基地局装置
１１  指向性アンテナ
１２  無線部
１３  復調部
１４，１６  演算部
１５，１７  方向調整インジケータ
２０  管理制御端末装置
【図１】
0006023114.tif 000004
【図２】
0006023114.tif 000005
【図３】
0006023114.tif 000006
【図４】
0006023114.tif 000007
【図５】
0006023114.tif 000008
【図６】
0006023114.tif 000009